(57)【要約】【課題】  製造コストの上昇と構成の複雑化とが抑制され、且つ圧縮機で発生した圧力脈動に起因する騒音が発生した時に迅速に騒音抑制が可能な冷凍回路を提供する。【解決手段】  圧縮機２と放熱器３と蒸発器５とが冷媒配管６を介して相互に連結され、圧縮機２と放熱器３との間の冷媒配管６及び／又は圧縮機２と蒸発器５との間の冷媒配管６に、冷媒の流れを変える冷媒流変更アダプター１００、１００’、１００”を収容する空間６ａと冷媒流変更アダプター１００、１００’、１００”を固定する固定機構６ｃとが配設されており、冷媒流変更アダプター１００、１００’、１００”が後付け可能である。【選択図】  図１
2009281620.tif 000002
【特許請求の範囲】
【請求項１】
圧縮機と放熱器と蒸発器とが冷媒配管を介して相互に連結され、圧縮機と放熱器との間の冷媒配管及び／又は圧縮機と蒸発器との間の冷媒配管に、冷媒流路を変える流路変更アダプターを収容する空間と流路変更アダプターを固定する固定機構とが配設されており、流路変更アダプターが後付け可能であることを特徴とする冷凍回路。
【請求項２】
流路変更アダプターは、冷媒流路の面積を縮小変更することを特徴とする請求項１に記載の冷凍回路。
【請求項３】
流路変更アダプターは、冷媒流量の増減に対応して開度が増減する開度調整弁であることを特徴とする請求項１に記載の冷凍回路。
【請求項４】
流路変更アダプターは、冷媒流路を屈曲させることを特徴とする請求項１に記載の冷凍回路。
【発明の詳細な説明】
【技術分野】
【０００１】
本発明は、圧縮機と放熱器と蒸発器とが冷媒配管を介して相互に連結された冷凍回路に関するものである。
【背景技術】
【０００２】
圧縮機と放熱器と蒸発器とが冷媒配管を介して相互に連結され、圧縮機と放熱器との間の冷媒配管又は圧縮機と蒸発器との間の冷媒配管に膨張型消音器を取り付けた冷凍回路が特許文献１に開示されている。
上記圧縮機においては、膨張型消音器により圧縮機で発生した圧力脈動の放熱器又は蒸発器への伝播が抑制され、当該圧力脈動に起因する放熱器又は蒸発器の騒音の発生が抑制される。
【特許文献１】特開２００８−０４５７７８号公報
【発明の開示】
【発明が解決しようとする課題】
【０００３】
特許文献１の騒音抑制策は、冷凍回路に予め作り付けておくものであるが、圧力脈動に起因する騒音の発生は冷凍回路の設置状況にも影響されるので、冷凍回路に予め騒音対策を作り付けておくのは冷凍回路の製造コストの上昇と冷凍回路の複雑化とを招き無駄である。
本発明は上記問題に鑑みてなされたものであり、製造コストの上昇と構成の複雑化とが抑制され、且つ圧縮機で発生した圧力脈動に起因する騒音が発生した時に迅速に騒音抑制が可能な冷凍回路を提供することを目的とする。
【課題を解決するための手段】
【０００４】
上記課題を解決するために、本発明においては、圧縮機と放熱器と蒸発器とが冷媒配管を介して相互に連結され、圧縮機と放熱器との間の冷媒配管及び／又は圧縮機と蒸発器との間の冷媒配管に、冷媒流路を変える流路変更アダプターを収容する空間と流路変更アダプターを固定する固定機構とが配設されており、流路変更アダプターが後付け可能であることを特徴とする冷凍回路を提供する。
本発明に係る冷凍回路は、流路変更アダプターを取り付けていない状態で乗用車等に設置される。放熱器及び／又は蒸発器に騒音が発生した場合、冷媒配管の流路変更アダプター収容空間に流路変更アダプターを挿入し、固定機構を用いて流路変更アダプターを冷媒配管に固定することにより、冷媒流路を変更して迅速に騒音を抑制することができる。冷凍回路には流路変更アダプターを予め取り付ける必要が無いので、冷凍回路製造コストの上昇や冷凍回路の複雑化を招かない。
流路変更の態様や流路面積の異なる複数種の流路変更アダプターを用意しておけば、放熱器及び／又は蒸発器に騒音が発生した時に、騒音の状況に応じて最適のアダプターを後付けして、前記騒音を抑制することができるので、騒音対策の幅が広がる。
【０００５】
本発明の好ましい態様においては、流路変更アダプターは冷媒流路の流路面積を縮小変更する。
本発明の好ましい態様においては、流路変更アダプターは、冷媒流量の増減に対応して開度が増減する開度調整弁である。
本発明の好ましい態様においては、流路変更アダプターは吸入流路を屈曲させる。
流路変更アダプターによる冷媒流路の変更は流路面積の縮小でも良く、或いは流路の屈曲でも良い。
圧縮機で発生する圧力脈動中、吸入弁や吐出弁の自励振動に起因して発生する圧力脈動は、圧縮機の吐出流量が少ない時に発生し易い。従って、流路変更アダプターは冷媒流量が少ない時に作動することが望ましい。他方流路変更アダプターは流路抵抗を形成するので冷媒流量が多い時には作動しないことが望ましい。上記を勘案すると、圧縮機で発生する圧力脈動中、吸入弁や吐出弁の自励振動に起因して発生する圧力脈動を抑制する場合には、冷媒流量の増減に対応して開度が増減する開度調整弁を流路変更アダプターとして用いるのが望ましい。
【発明の効果】
【０００６】
本発明により、製造コストの上昇と構成の複雑化とが抑制され、且つ圧力脈動に起因する騒音が発生した時に迅速に騒音抑制が可能な冷凍回路が提供される。
【発明を実施するための最良の形態】
【０００７】
本発明の実施例に係る冷凍回路を説明する。
図１に示すように、冷凍回路１は圧縮機２と放熱器３と膨張弁４と蒸発器５とこれらの機器を接続する冷媒配管６とを備えている。
図２に示すように、圧縮機２と蒸発器５との間で延在する冷媒配管６の圧縮機側端部６ａが、圧縮機２の吸入ポート２ａに挿入され、ネジ７を用いて吸入ポート２ａに固定されている。端部６ａと吸入ポート２ａとの間の環状隙間はＯリング８を用いてシールされている。端部６ａには、開口端へ向けて管内流路を２段の階段状に拡径した、流路変更アダプター収容空間６ｂが形成されている。空間６ｂの小径部に止め輪を収容する周溝６ｃが形成されている。周溝６ｃは、後述する止め輪１０１と協働して流路変更アダプターの固定機構を形成している。
冷凍回路１は図示しない乗用車に設置され、車室を空調する。
【０００８】
圧縮機２で発生する吸入圧脈動が蒸発器５に伝播して、蒸発器５が騒音を発生させる場合がある。騒音発生の有無、騒音の程度は、圧縮機２や蒸発器５や冷媒配管６の構成、取付け状況等によって変化する。従って騒音が発生する場合もあり、発生しない場合もある。蒸発器５が騒音を発生させた場合には、端部６ａを吸入ポート２ａから取り外し、流路変更アダプター１００を空間６ｂの小径部に挿入し、止め輪１０１を周溝６ｃと流路変更アダプター１００とに係合させて、流路変更アダプター１００を端部６ａに固定し、端部６ａを吸入ポート２ａに固定する。流路変更アダプター１００は、止め輪１０１に係合可能な外フランジ１００ａが一端に形成された筒体であり、前記一端が流路変更アダプター収容空間６ｂの小径部の段部に当接し、周溝６ｃに嵌合した止め輪１０１と前記段部とによって外フランジ１００ａが挟持された状態で端部６ａに取り付けられることにより、冷媒配管６内の冷媒流路の面積を縮小変更し、吸入圧脈動の蒸発器５への伝播を抑制し、蒸発器５の騒音を迅速に抑制する。
冷凍回路１には流路変更アダプター１００を予め取り付ける必要が無いので、冷凍回路１の製造コストの上昇や冷凍回路１の複雑化を招かない。
流路面積の異なる複数種の流路変更アダプター１００を用意しておけば、蒸発器５の騒音が発生した時に、騒音の状況に応じて最適のアダプター１００を後付けして、前記騒音を抑制することができるので、騒音対策の幅が広がる。
【０００９】
流路変更アダプター１００に代えて、図３に示すように、止め輪１０１に係合可能な外フランジ１００ａ’が一端に形成され、他端が閉鎖され、他端近傍の周側壁に開口１００ｂ’が形成された有底筒体の流路変更アダプター１００’を用いても良い。流路変更アダプター１００’は、端部６ａに取り付けられることにより、端部６ａ内の冷媒流路を真直流路から屈曲流路に変更して、吸入圧脈動の蒸発器５への伝播を抑制し、蒸発器５の騒音を迅速に抑制する。
流路変更アダプター１００に代えて、図４に示すように、止め輪１０１に係合可能な外フランジ１００ａ”が一端に形成され、他端が閉鎖され、一端近傍の周側壁に開口１００ｂ”が形成された有底筒体のケース１００ｃ”と、ケース１００ｃ”内に配設された有底筒体の弁体１００ｄ”と、弁体１００ｄ”をケース１００ｃ”の前記一端へ向けて付勢するバネ１００ｅ”とを有する開度調整弁から成る流路変更アダプター１００”を用いても良い。圧縮機２で発生する吸入圧力脈動中、吸入弁の自励振動に起因して発生する圧力脈動は、圧縮機の吐出流量が少ない時に発生し易い。従って、流路変更アダプターは冷媒流量が少ない時に作動することが望ましい。他方流路変更アダプターは流路抵抗を形成するので冷媒流量が多い時には作動しないことが望ましい。上記を勘案すると、圧縮機２で発生する吸入圧力脈動中、吸入弁の自励振動に起因して発生する圧力脈動を抑制する場合には、冷媒流量の増減に対応して開度が増減し、冷媒流路の面積を縮小させる程度が減増する開度調整弁から成る流路変更アダプター１００”を用いるのが望ましい。
流路変更アダプター１００、１００’、１００”を用意しておけば、蒸発器５の騒音が発生した時に、騒音の状況に応じて最適のアダプターを後付けして、前記騒音を抑制することができるので、騒音対策の幅が広がる。
【００１０】
冷媒配管６の圧縮機２と蒸発器５との間で延在する部位に、例えば図５に示すようなＯリング１８と止め輪１１１とを有する冷媒配管同士の連結部がある場合、或いは図５とは異なる構成の連結部がある場合、図２〜４と同様の流路変更アダプター収容空間６ｂと止め輪を収容する周溝６ｃとを一方の冷媒配管に形成しても良い。蒸発器５の騒音が発生した場合、図５に示すように止め輪１０１を用いて流路変更アダプター１００”を後付けすることにより、或いは流路変更アダプター１００、１００’を後付けすることにより、当該騒音を迅速に抑制することができる。
冷凍回路１には流路変更アダプター１００、１００’ 、１００”を予め取り付ける必要が無いので、冷凍回路１の製造コストの上昇や冷凍回路１の複雑化を招かない。
流路面積の異なる複数種の流路変更アダプター１００を用意しておけば、或いは流路変更アダプター１００、１００’、１００”を用意しておけば、蒸発器５の騒音が発生した時に、騒音の状況に応じて最適のアダプターを後付けして、前記騒音を抑制することができるので、騒音対策の幅が広がる。
流路変更アダプター１００、１００’ 、１００”の冷媒配管６への固定は、周溝６ｃと止め輪１０１とを用いるものに限定されない。ネジ止めでも良く、かしめ固定でも良い。例えばネジ止めの場合には、周溝６ｃに代えて雌螺子を流路変更アダプター収容空間６ｂの小径部に予め形成する。かしめ固定の場合には、フランジ１００ａ、１００ａ’、１００ａ”を流路変更アダプター収容空間６ｂの小径部に挿入した後、大径部の段部の内周縁部に打撃を与え該部を径方向内方に塑性変形させてフランジ１００ａ、１００ａ’、１００ａ”に係合させるので、周溝６ｃや雌螺子を予め流路変更アダプター収容空間６ｂの小径部に形成する必要は無い。
【００１１】
流路変更アダプターの後付け位置は、冷媒配管６の圧縮機２と蒸発器５との間で延在する部位に限定されない。冷媒配管６の圧縮機２と放熱器３との間で延在する部位に、拡径部６ａと周溝６ｃとを配設しても良い。この場合、図２〜４の参照番号２ａで示される部材は、吐出ポートになる。圧縮機２で発生する吐出圧脈動に起因する放熱器３の騒音が発生した場合に、冷媒流変更アダプター１００、１００’、１００”の何れかを冷媒配管６の圧縮機２と放熱器３との間で延在する部位に後付けして放熱器３の騒音を迅速に抑制することができる。
冷凍回路１には流路変更アダプター１００を予め取り付ける必要が無いので、冷凍回路１の製造コストの上昇や冷凍回路１の複雑化を招かない。
流路面積の異なる複数種の流路変更アダプター１００を用意しておけば、或いは流路変更アダプター１００、１００’、１００”を用意しておけば、放熱器３の騒音が発生した時に、騒音の状況に応じて最適のアダプターを後付けして、前記騒音を抑制することができるので、騒音対策の幅が広がる。
流路変更アダプター１００、１００’ 、１００”の冷媒配管６への固定は、止め輪１０１を用いるものに限定されない。ネジ止めでも良く、かしめ固定でも良い。例えばネジ止めの場合には、周溝６ｃに代えて雌螺子を流路変更アダプター収容空間６ｂの小径部に予め形成する。かしめ固定の場合にはフランジ１００ａ、１００ａ’、１００ａ”を流路変更アダプター収容空間６ｂの小径部に挿入した後、大径部の段部の内周縁部に打撃を与え該部を径方向内方に塑性変形させてフランジ１００ａ、１００ａ’、１００ａ”に係合させるので、周溝６ｃや雌螺子を予め流路変更アダプター収容空間６ｂの小径部に形成する必要は無い。
【００１２】
冷媒配管６の圧縮機２と蒸発器５との間で延在する部位と、圧縮機２と放熱器３との間で延在する部位とに、拡径部６ａと周溝６ｃとを配設しても良い。流路変更アダプター１００、１００’ 、１００”を取り付けることにより、吐出圧脈動に起因する放熱器３の騒音と吸入圧脈動に起因する蒸発器５の騒音とを迅速に抑制することができる。
【産業上の利用可能性】
【００１３】
本発明は、斜板式圧縮機、揺動板式圧縮機等の往復動圧縮機、スクロール圧縮機、ベーン圧縮機等種々の圧縮機を備えた冷凍回路に利用可能である。
【図面の簡単な説明】
【００１４】
【図１】本発明の実施例に係る冷凍回路の構成図である。
【図２】図１の冷凍回路の部分拡大図である。
【図３】図１の冷凍回路の部分拡大図である。
【図４】図１の冷凍回路の部分拡大図である。
【図５】図１の冷凍回路の部分拡大図である。
【符号の説明】
【００１５】
１  冷凍回路
２  圧縮機
２ａ  吸入ポート
３  放熱器
４  膨張弁
５  蒸発器
６  冷媒配管
６ａ  端部
６ｂ  流路変更アダプター収容空間
６ｃ  周溝
１００、１００’、１００”  流路変更アダプター
１０１  止め輪
【図１】
2009281620.tif 000003
【図２】
2009281620.tif 000004
【図３】
2009281620.tif 000005
【図４】
2009281620.tif 000006
【図５】
2009281620.tif 000007